(57)【特許請求の範囲】
【請求項１】
双方向ＣＡＴＶシステムの信号を伝送するとともに、所定帯域の周波数をカットするフィルタを用いることで、前記信号の伝送方向を単方向と双方向に切り換えるフィルタ付きテレビコンセントであって、ＣＡＴＶ局側のケーブルが接続されるＣＡＴＶ局側端子と、テレビ側のケーブルが接続されるテレビ側端子と、上記フィルタと、前記両端子間の電気的な接続で前記フィルタの介在の有無を切り換える切換スイッチと、前記切換スイッチを操作する操作部と、少なくとも前記フィルタ及び切換スイッチを収納するケースとを備え、伝送方向を切り換えるための操作部の操作位置を案内する表示部をケースの上面に設け、ケースを日本工業規格で規格化された大角形連用配線器具の１個モジュール寸法に形成するとともに、操作部を、ケースの上面と下面との一方に配設し、前方から見てケースから上下に突出しない寸法に形成したことを特徴とするフィルタ付きテレビコンセント。
【請求項２】
ケースの上面にケース内外を貫通する貫通孔を設け、操作部は、前記貫通孔を介してケース内部の切換スイッチを操作するように、ケース上面の前記貫通孔周辺に配設されたことを特徴とする請求項１記載のフィルタ付きテレビコンセント。
【請求項３】
ケースの貫通孔周辺部を上方に突出させたことを特徴とする請求項２記載のフィルタ付きテレビコンセント。
【請求項４】
双方向ＣＡＴＶシステムの信号を伝送するとともに、所定帯域の周波数をカットするフィルタを用いることで、前記信号を単方向と双方向に切り換えるフィルタ付きテレビコンセントであって、ＣＡＴＶ局側のケーブルが接続されるＣＡＴＶ局側端子と、テレビ側のケーブルが接続される１乃至複数のテレビ側端子と、上記フィルタと、前記両端子間の電気的な接続で前記フィルタの介在の有無を切り換える切換スイッチと、前記切換スイッチを操作する操作部と、少なくとも前記フィルタ及び切換スイッチを収納するケースとを備え、ケースは、伝送方向を切り換えるための操作部の操作位置を案内する表示部が前面に設けられたケース本体と、前記ケース本体の下端側に開閉自在に枢支され、ケース本体の前面を覆う外カバーとからなり、ケースを日本工業規格で規格化された大角形連用配線器具の１個モジュール寸法に形成するとともに、操作部を、ケースの上面と下面との一方に配設し、前方から見てケースから上下に突出しない寸法に形成したことを特徴とするフィルタ付きテレビコンセント。
【請求項５】
外カバーの前面上部に工具と前後方向に引掛係止する引掛部を設けるとともに、操作部は、外カバーが開いたときに前方側に露出されるような部位に配設されたことを特徴とする請求項４記載のフィルタ付きテレビコンセント。
【請求項６】
外カバーと係合して外カバーを閉じた状態に保持する係合突起をケース本体の前面に突設したことを特徴とする請求項４又は５記載のフィルタ付きテレビコンセント。
【請求項７】
外カバーは、ケース本体前面を覆う主部と、主部の両側部からケース本体側に突出する周壁とを備え、前記周壁の上端部を曲面状に形成したことを特徴とする請求項４〜６の何れかに記載のフィルタ付きテレビコンセント。
【請求項８】
切換設定されている伝送方向を外カバー前面に表示する設定表示手段を設けたことを特徴とする請求項４〜７の何れかに記載のフィルタ付きテレビコンセント。
【発明の詳細な説明】
【０００１】
【発明の属する技術分野】
本発明は、双方向ＣＡＴＶシステムの信号を伝送するとともに、所定帯域の周波数をカットするフィルタを用いることで、前記信号の伝送方向を単方向と双方向に切り換えるフィルタ付きテレビコンセントに関するものである。
【０００２】
【従来の技術】
近年、ＣＡＴＶにおいては、例えば約１０〜５５［ＭＨｚ］の周波数を用いてＣＡＴＶ加入者からＣＡＴＶ局にデータ等を伝送できる双方向ＣＡＴＶシステムが用いられている。一方、各家庭においては、一般に家電製品から約１０〜３０［ＭＨｚ］の雑音が発生しており、ＣＡＴＶ加入者のテレビコンセントからＣＡＴＶシステムに雑音として侵入する。特に双方向システムを必要としない加入者が約１０〜５５［ＭＨｚ］の周波数を通過するテレビコンセントを使用していると、双方向ＣＡＴＶシステム特有の流合雑音現象、すなわち、各加入者端末からの雑音が上り回線を経由し、ＣＡＴＶ局に合流する結果、ＣＡＴＶ局において、双方向システムを使用している加入者からの上り信号を判別できず、双方向サービスが成り立たなくなる場合がある。
【０００３】
そこで、ＣＡＴＶ加入者が双方向システムを必要としない場合には、約１０〜５５［ＭＨｚ］の周波数帯をカットし、ＣＡＴＶ局における流合雑音を極力少なくする必要があり、ＣＡＴＶ加入者のテレビコンセントには、外来雑音の混入を防ぐために約１０〜５５［ＭＨｚ］の周波数帯をカットするハイパスフィルタが付属されている。
【０００４】
例えば図３２（ａ）〜（ｃ）及び図３３に示すように、ＣＡＴＶ局側の同軸ケーブルが接続されるＣＡＴＶ局側端子１１ｂ（例えばＦ型接栓座）と、テレビ側の同軸ケーブルが接続されるテレビ側端子１１ａ（例えばＦ型接栓座）と、上述のハイパスフィルタ１４と、前記両端子１１ａ，１１ｂ間の電気的な接続でハイパスフィルタ１４の介在の有無を切り換えるスライド式の切換スイッチ２０と、内部にテレビ側端子１１ａ及びハイパスフィルタ１４並びに切換スイッチ２０を収納するとともに、前面から略円形の開口孔１５ａを介してテレビ側端子１１ａを露出させ、後部からＣＡＴＶ局側端子１１ｂを突出させて、壁面から前面を露出させた形で埋め込まれるケース１０’と、ケース１０’の側部に配設されて内部の切換スイッチ２０を操作する操作部２１とを備えたフィルタ付きテレビコンセント（以下「テレビコンセント」と略す）Ａ１が提供されている（第一の従来例）。
【０００５】
このケース１０’は、互いに一面を開口した略矩形箱状のボディ９ａ及びカバー９ｂを組み合わせて構成され、日本工業規格（ＪＩＳ）で規格化された大角形連用配線器具の１個モジュール寸法（ＪＩＳ  Ｃ  ８３０４参照）に形成されており、例えば金属製又は合成樹脂製の上記大角形連用配線器具の取付枠（ＪＩＳ
Ｃ  ８３７５参照）に取り付けられる。
【０００６】
操作部２１は、細長略矩形平板状の操作片２１ａと、操作片２１ａの一面の長手方向略中央部に突設されたツマミ部２１ｂと、操作片２１ａの他方の面における長手方向略中央部に突設された１対の脚片（図示せず）とからなる。
【０００７】
このような操作部２１は、前記１対の脚片をケース１０’側面に設けられた貫通孔（図示せず）を介してケース１０’内部に挿入して、前記両脚片の間に切換スイッチ２０のスイッチ操作部を挟持させた状態に配設される。
【０００８】
そして、操作部２１のツマミ部２１ｂに指を当てて、操作片２１ａをケース１０側面に沿わせて長手方向にスライドさせると、操作部２１の前記両脚片が切換スイッチ２０のスイッチ操作部を前記スライドに応じて移動させることで、切換スイッチ２０は、ＣＡＴＶ局側端子１１ｂをハイパスフィルタ１４を介してテレビ側端子１１ａに接続したり、ＣＡＴＶ局側端子１１ｂをハイパスフィルタ１４を介さずにテレビ側端子１１ａに接続したりする。
【０００９】
即ち、操作部２１を長手方向に沿った一方にスライドさせて両端子１１ａ，１１ｂ間にハイパスフィルタ１４を介在させた場合には、例えば約１０〜５５［ＭＨｚ］の周波数の信号がカットされて伝送方向が単方向（例えば約７０〜２１５０［ＭＨｚ］）となり、操作部２１を他方に操作して両端子１１ａ，１１ｂをハイパスフィルタ１４を介さずに接続した場合には、上述の周波数のカットは行われず、伝送方向が双方向（例えば約１０〜２１５０［ＭＨｚ］）となる。
【００１０】
さらに、ケース１０’の前記側面の操作部２１周辺には、伝送方向を単方向と双方向に切り換えるための操作部２１のツマミ部２１ｂの操作位置を案内する表示部１が設けられており、表示部１は例えば「単方向」という文字を表す表示部１ａと、「双方向」という文字を表す表示部１ｂとからなる。そこで、例えば工事業者などが伝送方向を単方向に切り換えようとするときには、ツマミ部２１ｂを表示部１ａに合わせるように操作部２１をスライドさせ、双方向に切り換えようとするときには、ツマミ部２１ｂを表示部１ｂに合わせるように操作部２１をスライドさせる。
【００１１】
ところで、このようなテレビコンセントＡ１には、図３４（ａ）〜（ｃ）に示すように、送り配線用の端子１１ｃを備えたものもある。
【００１２】
また、上述のテレビコンセントＡ１と基本構成は同様であるが、図３５（ａ）〜（ｃ）及び図３６（ａ），（ｂ）に示すように、カバー９ｂがボディ９ａの開口を覆う部分と、前記部分の前面側に開閉自在に取り付けられた外カバー１０ｂ’とからなるテレビコンセントＡ２も提供されている（第二の従来例）。
【００１３】
即ちテレビコンセントＡ２のケース１０’は、カバー９ｂのボディ９ａ開口を覆う部分及びボディ９ａからなるケース本体１０ａ’と、ケース本体１０ａ’前面を覆う上述の外カバー１０ｂ’とで構成されている。
【００１４】
このような外カバー１０ｂ’は、略円形の開口孔１５ｂを有してケース本体１０ａ’前面を覆う略矩形平板状の主部１０ｃと、主部１０ｃ周縁に沿ってケース本体１０ａ側に突出する周壁１０ｄとから成り、ケース本体１０ａの上端側に開閉自在に枢支される。そして、外カバー１０ｂ’が閉じているときには、ケース本体１０ａ’前面から突出したテレビ側端子１１ａが外カバー１０ｂ’の開口孔１５ｂを介して外部に露出されるのである。
【００１５】
さらに、外カバー１０ｂ’の周壁１０ｄには、孔１７ｂを有する舌片１７ａが２つ突設されており、この両舌片１７ａの孔１７ｂ周辺をそれぞれ、ケース本体１０ａ’の側部前方側に設けられた１対の突起１７ｃに係合させることで、外カバー１０ｂ’は閉じた状態に保持される。
【００１６】
またテレビコンセントＡ２は、ロータリー式の切換スイッチ２０と、この切換スイッチ２０を切換操作するための全体的に略柱状の操作部２２とを備えている。
【００１７】
操作部２２は、略柱状の操作レバー２２ａと、操作レバー２２ａの一端に形成されて切換スイッチ２０のスイッチ操作軸を保持する保持部２２ｂと、保持部２２ｂの操作レバー２２ａと反対側にあって略楔状に形成された伝送方向を示すための指示片２２ｃとから成る。
【００１８】
このような操作部２２は、ケース本体１０ａ’側面の貫通孔（図示せず）を介して保持部２２ｂに切換スイッチ２０のスイッチ操作軸を保持させ、操作レバー２２ａの保持部２２ｂと反対側の一端がケース本体１０ａ’の前面側に位置するように、ケース本体１０ａ’側面に沿わせて配設される。
【００１９】
そして、操作レバー２２ａに指を当てて、保持部２１ｂ側を支点に操作レバー２２ａを回動させると、前記回動に応じて保持部２２ｂが切換スイッチ２０のスイッチ操作軸を回し、上述のように切換スイッチ２０にハイパスフィルタ１４の介在の有無を切換させる。
【００２０】
さらに、ケース本体１０ａ’側面における操作部２２の保持部２２ｂ周辺には、図３５（ｃ）に示すように、伝送方向を単方向と双方向に切り換えるための操作部２２の指示片２２ｃの位置を案内する表示部４が設けられており、上述の表示部１と同様、表示部４は例えば「単方向」という文字を表す表示部４ａと、「双方向」という文字を表す表示部４ｂとからなる。またさらに、ケース本体１０ａ’前面における操作レバー２２ａの周辺には、伝送方向を単方向と双方向に切り換えるための操作レバー２２ａの一端の位置を案内する表示部５が設けられており、上述の表示部４と同様、表示部５は例えば「単方向」という文字を表す表示部５ａと、「双方向」という文字を表す表示部５ｂとからなる。
【００２１】
そこで、例えば工事業者などが伝送方向を単方向に切り換えようとするときには、ケース本体１０ａ’の側面を見て、操作部２２の指示片２２ｃを表示部４ａに合わせるように、又は、外カバー１０ｂ’を開けて操作レバー２２ａの一端と表示部５とを前方側に露出させ、操作レバー２２ａの前記一端を表示部５ａに合わせるように操作レバー２２ａを回動させる。これとは逆に双方向に切り換えようとするときには、ケース本体１０ａ’の側面を見て、操作部２２の指示片２２ｃを表示部４ｂに合わせるように、又は、外カバー１０ｂ’を開けて操作レバー２２ａの一端と表示部５とを前方側に露出させ、操作レバー２２ａの前記一端を表示部５ｂに合わせるように、操作レバー２２ａを回動させる。
【００２２】
ところで、このようなテレビコンセントＡ２には、図３７（ａ）〜（ｃ）及び図３８（ａ），（ｂ）に示すように、送り配線用の端子１１ｃを備えたものもある。
【００２３】
上記第一及び第二の従来のテレビコンセントＡ１，Ａ２を、壁面に埋め込み配設するときには、図３９に示すように、まず上述の合成樹脂製の取付枠７０の両側片７１に対向して設けられた係止孔（図示せず）に、ケース１０’の両側部から突出する係止爪１２を係止させることで、テレビコンセントＡ１，Ａ２を取付枠７０に取り付ける。
【００２４】
次に、ＣＡＴＶ局側の同軸ケーブルＢの先端に付設された同軸プラグＢ１が具備する接続ナットＢ２を、ＣＡＴＶ局側端子１１ｂに螺合させて締め付けることにより、同軸ケーブルＢをＣＡＴＶ局側端子１１ｂに接続する。
【００２５】
そして、テレビコンセントＡ１，Ａ２が取り付けられた取付枠７０を、壁面に埋設された埋込ボックス９０にねじ止めすることで固定し、図４０に示すように、略矩形状の露出窓８１が略中央部に設けられた例えば合成樹脂製のプレート８０を、露出窓８１からケース１０’前面が露出するように、取付枠７０に取着する。
【００２６】
【発明が解決しようとする課題】
しかしながら、テレビコンセントＡ１，Ａ２は、電源コンセントと同様に、壁面の床面に近い部位に配設されることが多く、しかもケース１０’の操作部２１，２２及び表示部１，４がある側面を床面に向けて配設されるため、工事業者などが伝送方向を切り換えるときには、第一の従来例のテレビコンセントＡ１では、図４１に示すように、プレート８０を取付枠７０から外しても、工事業者の目の位置がテレビコンセントＡ１よりも上方にあるために、ケース１０’の下側にある表示部１を見ることが難しく、操作部２１を誤った操作位置にスライドさせて、所望の伝送方向と異なる伝送方向に切換設定しまうことがあるといった問題があった。また第二の従来例のテレビコンセントＡ２においても、前述と同様、ケース本体１０ａ’の下側に設けられた表示部４を見ることが難しいのはもちろん、図４２に示すように、外カバー１０ｂ’を開けてケース本体１０ａ’前面に設けられた表示部５を見ようとしても、外カバー１０ｂ’が下開きで回動することから、外カバー１０ｂ’が邪魔になって、ケース本体１０ａ’前面に設けられた表示部５を見ることが難しく、第一及び第二の従来例のテレビコンセントＡ１，Ａ２ともに、伝送方向を間違って切換設定してしまうといった問題があった。
【００２７】
本発明は上記問題点の解決を目的とするものであり、伝送方向を単方向と双方向とに間違いなく確実に切換可能なフィルタ付きテレビコンセントを提供する。
【００２８】
【課題を解決するための手段】
上記目的を達成するために、請求項１の発明は、双方向ＣＡＴＶシステムの信号を伝送するとともに、所定帯域の周波数をカットするフィルタを用いることで、前記信号の伝送方向を単方向と双方向に切り換えるフィルタ付きテレビコンセントであって、ＣＡＴＶ局側のケーブルが接続されるＣＡＴＶ局側端子と、テレビ側のケーブルが接続されるテレビ側端子と、上記フィルタと、前記両端子間の電気的な接続で前記フィルタの介在の有無を切り換える切換スイッチと、前記切換スイッチを操作する操作部と、少なくとも前記フィルタ及び切換スイッチを収納するケースとを備え、伝送方向を切り換えるための操作部の操作位置を案内する表示部をケースの上面に設け、ケースを日本工業規格で規格化された大角形連用配線器具の１個モジュール寸法に形成するとともに、操作部を、ケースの上面と下面との一方に配設し、前方から見てケースから上下に突出しない寸法に形成したことを特徴とし、ケースの上面に表示部を設けたことによって、床面に近い壁面に配設された状態において、上方からでも表示部を容易に見ることができ、表示部が見え易くなった結果、操作部を間違いなく確実に操作して伝送方向を単方向と双方向とに切り換えることができる。
【００２９】
請求項２の発明は、請求項１の発明において、ケースの上面にケース内外を貫通する貫通孔を設け、操作部は、前記貫通孔を介してケース内部の切換スイッチを操作するように、ケース上面の前記貫通孔周辺に配設されたことを特徴とし、操作部をケース上面に配設したことによって、上方からでも操作部が容易に見えてその操作位置を確認することができ、伝送方向を容易に間違いなく確実に切り換えることができる。
【００３０】
請求項３の発明は、請求項２の発明において、ケースの貫通孔周辺部を上方に突出させたことを特徴とし、例えば周囲温度の変化による結露などでケースの上面に水滴が付いても、ケースの貫通孔周辺部を上方に突出させたことによって、水滴が前記貫通孔を介してケース内部に入るのを防ぐことができ、切換スイッチやフィルタを含むケース内部に配設された電子部品を前記水滴から保護することができる。
【００３１】
請求項４の発明は、双方向ＣＡＴＶシステムの信号を伝送するとともに、所定帯域の周波数をカットするフィルタを用いることで、前記信号を単方向と双方向に切り換えるフィルタ付きテレビコンセントであって、ＣＡＴＶ局側のケーブルが接続されるＣＡＴＶ局側端子と、テレビ側のケーブルが接続される１乃至複数のテレビ側端子と、上記フィルタと、前記両端子間の電気的な接続で前記フィルタの介在の有無を切り換える切換スイッチと、前記切換スイッチを操作する操作部と、少なくとも前記フィルタ及び切換スイッチを収納するケースとを備え、ケースは、伝送方向を切り換えるための操作部の操作位置を案内する表示部が前面に設けられたケース本体と、前記ケース本体の下端側に開閉自在に枢支され、ケース本体の前面を覆う外カバーとからなり、ケースを日本工業規格で規格化された大角形連用配線器具の１個モジュール寸法に形成するとともに、操作部を、ケースの上面と下面との一方に配設し、前方から見てケースから上下に突出しない寸法に形成したことを特徴とし、外カバーをケース本体下端側に枢支させたことによって、外カバーを開いたときには上開きとなることで、床面に近い壁面に配設された状態において、上方からでも外カバーが邪魔になることなく表示部を容易に見ることができ、表示部が見え易くなった結果、操作部を間違いなく確実に操作して伝送方向を単方向と双方向とに切り換えることができる。
【００３２】
請求項５の発明は、請求項４の発明において、外カバーの前面上部に工具と前後方向に引掛係止する引掛部を設けるとともに、操作部は、外カバーが開いたときに前方側に露出されるような部位に配設されたことを特徴とし、例えば壁面に外カバー前面のみを露出させた状態で埋め込み配設されたときには、外カバーを掴み難いために外カバーを開くことが困難となるが、前記引掛部を設けたことによって、工具を引掛部に引掛けて引き出せば、容易に外カバーを開くことができ、且つ外カバーが開いたときには操作部が露出されることによって、前記埋め込み配設された状態から外カバーを開いて操作部を操作し、簡単に伝送方向の切り換えを行うことができる。
【００３３】
請求項６の発明は、請求項４又は５の発明において、外カバーと係合して外カバーを閉じた状態に保持する係合突起をケース本体の前面に突設したことを特徴とし、ケース本体前面に前記係合突起を突設したことによって、例えば壁面に外カバー前面のみを露出させた状態で埋め込み配設された場合に、前記係合突起と係合する外カバーの被係合部を、外カバーを閉じるときに周辺の部材と引っ掛かり難いように形成することができ、その結果、外カバーを容易に閉じることができる。
【００３４】
請求項７の発明は、請求項４〜６の何れかの発明において、外カバーは、ケース本体前面を覆う主部と、主部の両側部からケース本体側に突出する周壁とを備え、前記周壁の上端部を曲面状に形成したことを特徴とし、例えば施工面に外カバー前面のみを露出させた状態で埋め込み配設された場合に開いている外カバーを閉じるときには、前記周壁の上端部を曲面状に形成したことによって、前記上端部を角張った形状に形成したときと比べて、前記上端部が、周辺の部材に引っ掛かるのを防いで、外カバーを容易に閉じることができる。
【００３５】
請求項８の発明は、請求項４〜７の何れかの発明において、切換設定されている伝送方向を外カバー前面に表示する設定表示手段を設けたことを特徴とし、前記設定表示手段により外カバー前面に切換設定されている伝送方向が表示されていることによって、外カバーが閉じていてもこれを開けることなく外カバー前面を見れば切換設定されている伝送方向を容易に確認することができる。
【００３６】
【発明の実施の形態】
（実施形態１）
本実施形態における基本構成は第一の従来例のテレビコンセントＡ１と共通するために共通する部分については同一の符号を付して説明を省略し、本実施形態の特徴となる部分についてのみ詳細に説明する。
【００３７】
本実施形態のテレビコンセントＡ１では、図１（ａ）〜（ｄ）に示すように、ケース１０における操作部２１が配設された側面と反対側の側面、つまり本実施形態が壁面に埋め込み配設されたときには上方に位置する側面であって、カバー９ｂにあたる部位に、伝送方向を単方向と双方向に切り換えるための操作部２１の操作位置を案内する表示部６が設けられている点に特徴がある。
【００３８】
表示部６は、例えば「双方向←→単方向」といった文字を表すものであって、前記文字をケース１０に刻印することで表示部６を設けても良く、一面に前記文字が記載され、他方の面に粘着性を有するラベルをケース１０に貼り付けることで表示部６を設けても良い。
【００３９】
このような本実施形態のテレビコンセントＡ１では、壁面における床面に近い部位に埋め込み配設されて人の目の位置よりも低い位置にあっても、ケース１０の上側面に表示部６が設けられていることによって、例えば工事業者などが伝送方向を切り換えるとき、プレート８０を取付枠７０から取り外すと、図２に示すように、テレビコンセントＡ１の上方からでも表示部６を容易に見ることができて、わざわざ腰を屈めてケース１０の下側を覗き込まなくても良い。そして表示部６が見え易くなったことで、ケース１０の下側にある操作部２１を間違いなく確実にスライドさせて、伝送方向を単方向と双方向とに切り換えることができる。
【００４０】
（実施形態２）
本実施形態における基本構成は第二の従来例のテレビコンセントＡ２と共通するために共通する部分については同一の符号を付して説明を省略し、本実施形態の特徴となる部分についてのみ詳細に説明する。
【００４１】
本実施形態のテレビコンセントＡ２では、図３（ａ）〜（ｄ）に示すように実施形態１と同様、ケース１０における操作部２２が配設された側面と反対側の側面、つまり本実施形態が壁面に埋め込み配設されたときには上方に位置する側面であって、カバー９ｂにあたる部位に、伝送方向を単方向と双方向に切り換えるための操作部２２の操作レバー２２ａの操作位置を案内する表示部６が設けられている点に特徴がある。
【００４２】
表示部６は、例えば「単方向←→双方向」といった文字を表すものであって、刻印やラベルを貼ることによって設けられている。
【００４３】
このような本実施形態のテレビコンセントＡ２では、実施形態１と同様、伝送方向を切り換えるとき、プレート８０を取付枠７０から取り外すと、外カバー１０ｂを開けることなく、テレビコンセントＡ２の上方からでも表示部６を容易に見ることができる。そして表示部６が見え易くなったことで、ケース１０の下側にある操作レバー２２ａを間違いなく確実に回動させて伝送方向を単方向と双方向とに切り換えることができる。
（実施形態３）
本実施形態における基本構成は実施形態１のテレビコンセントＡ１と共通するために共通する部分については同一の符号を付して説明を省略し、本実施形態の特徴となる部分についてのみ詳細に説明する。
【００４４】
本実施形態のテレビコンセントＡ１では、図４（ａ）〜（ｃ）に示すように、操作部２１がケース１０の下側に配設されずに、表示部６と同様、ケース１０の上側面に配設されていることに特徴がある。
【００４５】
ケース１０の上側面には内外に貫通する略矩形状の貫通孔１３ａが形成されている。そして、切換スイッチ２０は、例えばハイパスフィルタ１４を構成する電子部品と共にプリント配線基板上に実装されて、このプリント配線基板は、切換スイッチ２０のスイッチ操作部を貫通孔１３ａに臨ませるようにケース１０内部に配設される。
【００４６】
操作部２１は、従来例と同様、操作片２１ａのツマミ部２１ｂと反対側に突設された１対の脚片２１ｃを貫通孔１３ａに挿入し、両脚片２１ｃの間に切換スイッチ２０のスイッチ操作部を挟持させた状態で配設される。
【００４７】
このように本実施形態では、操作部２１をケース１０の上側面に配設したことによって、本実施形態の上方からでも操作部２１のツマミ部２１ｂが容易に見えてその操作位置を確認することができ、伝送方向を容易に間違いなく確実に切り換えることができる。
【００４８】
また本実施形態では、図５（ａ），（ｂ）に示すように、ケース１０の貫通孔１３ａ周辺を上方に突出させても良い。これにより、例えば周囲温度の変化による結露などでケース１０の上側面に水滴が付いても、この水滴が貫通孔１３ａからケース１０内部に入るのを防ぐことができ、ケース１０内部のプリント配線基板や切換スイッチ２０を含む電子部品を前記水滴から保護することができる。
（実施形態４）
本実施形態における基本構成は実施形態２のテレビコンセントＡ２と共通するために共通する部分については同一の符号を付して説明を省略し、本実施形態の特徴となる部分についてのみ詳細に説明する。
【００４９】
本実施形態のテレビコンセントＡ２では、図６（ａ）〜（ｃ）に示すように実施形態３と同様、操作部２２がケース１０の下側に配設されずに、ケース１０の上側面に配設され、且つ、表示部６の代りに表示部４を上側面に設けている点に特徴がある。
【００５０】
ケース１０の上側面には内外に貫通する略円形の貫通孔１３ｂが形成されている。そして、切換スイッチ２０は、例えばハイパスフィルタ１４を構成する電子部品とともにプリント配線基板上に実装されて、このプリント配線基板は、切換スイッチ２０のスイッチ操作軸を貫通孔１３ｂに臨ませるようにケース１０内部に配設される。
【００５１】
操作部２２は、従来例と同様、ケース１０の貫通孔１３ｂを介して保持部２２ｂに切換スイッチ２０のスイッチ操作軸を保持させ、操作レバー２２ａの保持部２１ｂと反対側の一端がケース本体１０ａの前面側に位置するように、ケース本体１０ａの上側面に沿わせて配設される。
【００５２】
このように本実施形態では、実施形態３と同様、操作部２２をケース１０の上側面に配設したことによって、本実施形態の上方からでも操作部２２の指示片２２ｃが容易に見えてその操作位置を確認することができ、伝送方向を容易に間違いなく確実に切り換えることができる。
【００５３】
また本実施形態では、図７（ａ），（ｂ）に示すように、ケース１０の貫通孔１３ｂ周辺を上方に突出させても良い。これにより、実施形態３と同様、ケース本体１０ａ上側面に付いた水滴が貫通孔１３ｂを介してケース１０内部に入るのを防ぐことができる。
（実施形態５）
本実施形態における基本構成は第二の従来例又は実施形態４のテレビコンセントＡ２と共通するために共通する部分については同一の符号を付して説明を省略し、本実施形態の特徴となる部分についてのみ詳細に説明する。
【００５４】
本実施形態のテレビコンセントＡ２では、図８（ａ）〜（ｅ）及び図９（ａ）〜（ｅ）に示すように、外カバー１０ｂをケース本体１０ａの下端側に開閉自在に枢支させた点に特徴がある。
【００５５】
ここで、図８（ａ）〜（ｅ）に示すように、操作部２２がケース本体１０ａの下側にある場合には、表示部４はケース本体１０ａ前面の下側に設けられ、図９（ａ）〜（ｅ）に示すように、操作部２２がケース本体１０ａの上側にある場合には、表示部５はケース本体１０ａ前面の上側に設けられている。
【００５６】
このように本実施形態では、壁面における床面に近い部位に埋め込み配設されて人の目の位置よりも低い位置にあっても、外カバー１０ｂをケース本体１０ａ下端側に枢支させたことによって、図１０に示すように、外カバー１０ｂを開いたときには上開きにとなることにより、テレビコンセントＡ２の上方からでも外カバー１０ｂが邪魔になることなく表示部５を容易に見ることができる。その結果、操作レバー２２ａを間違いなく確実に回動して伝送方向を単方向と双方向とに切り換えることができるのである。
【００６３】
（実施形態６）
ところで、実施形態５のテレビコンセントＡ２では、伝送方向の切り換えを行うとき、ケース１０上側面にある表示部４又はケース本体１０ａ前面にある表示部５を見て操作部２２を操作する必要がある。しかし、テレビコンセントＡ２では、埋め込み配設された状態では、プレート８０からは外カバー１０ｂの前面しか露出されていないので、ケース１０上側面にある表示部４を見て操作部２２を操作するためにはプレート８０を取付枠７０から取り外さなければならず、また、表示部５を見て操作部２２を操作するために外カバー１０ｂを開けようとしても、外カバー１０ｂを掴んで開けることが難しく、結局、プレート８０を取付枠７０から取り外さなければならず、伝送方向の切り換えに手間がかかってしまう。
【００６４】
そこで本実施形態では、図１１，図１２に示すように、外カバー１０ｂの前面側の上端部に、例えばマイナスドライバなどの工具と前後方向に引掛係止する凹状の引掛部１６を設けている。
【００６５】
操作部２２がケース１０下側に配設された図１１（ａ），（ｂ）に示すテレビコンセントＡ２と、操作部２２がケース１０上側に配設された図１２（ａ），（ｂ）に示すテレビコンセントＡ２のそれぞれが、壁面に埋め込み配設されたときには、図１３に示すように、それぞれの引掛部１６がプレート８０の露出窓８１周辺に沿って露出した状態となる。
【００６６】
ここで、上記各テレビコンセントＡ２の外カバー１０ｂを開くときには、マイナスドライバの先端を引掛部１６に差し入れて、前記マイナスドライバの側部をプレート８０の露出窓８１周辺に当接させ、当接させた部位を支点にマイナスドライバの先端を前方側に引き出せば、前記先端が外カバー１０ｂの引掛部１６内面を前方に押し、図１４及び図１５に示すように、外カバー１０ｂが開くのである。そして外カバー１０ｂが開いたときには、表示部５と操作部２２の操作レバー２２ａが露出される。
【００６８】
これにより本実施形態では、プレート８０を取付枠７０から取り外さずに容易に外カバー１０ｂを開き、ケース本体１０ａ前面にある表示部５を見て操作部２２を操作することができ、簡単に伝送方向の切り換えを行うことができる。
（実施形態７）
ところで実施形態６のテレビコンセントＡ２では、図１６に示すように、外カバー１０ｂを閉じた状態で保持するため、外カバー１０ｂに設けられた舌片１７ａの孔１７ｂ周辺を、ケース本体１０ａの突起１７ｃに係合させていた。しかし、このようなテレビコンセントＡ２では、図１７に示すように、プレート８０を取り外さずに外カバー１０ｂを開き、再び外カバー１０ｂを閉じようとしたときには、舌片１７ａがプレート８０に引っ掛かって外カバー１０ｂが閉じ難くなってしまうことがあった。
【００６９】
そこで、本実施形態では図１８に示すように、上述の突起１７ｃの代りに、先端に爪を有する係合突起１８ａを、ケース本体１０ａ前面の周縁から内側に離れた部位に前方に向けて突設している。その結果、外カバー１０ｂにおいて、舌片１７ａの代りに係合突起１８ａの爪と係合する被係合部１８ｂを、プレート８０に引っ掛かり難いように外カバー１０ｂ裏面の周縁から内側に離れた部位に設けることができる。
【００７０】
これにより本実施形態では、図１９に示すように、外カバー１０ｂを閉めるとき、外カバー１０ｂがプレート８０に引っ掛かって閉じ難くなるのを防いで、容易に閉じることができる。
（実施形態８）
本実施形態における基本構成は実施形態７のテレビコンセントＡ２と共通するために共通する部分については同一の符号を付して説明を省略し、本実施形態の特徴となる部分についてのみ詳細に説明する。
【００７１】
本実施形態では、外カバー１０ｂの周壁１０ｄが、図２０に示すように、主部１０ｃの上部を除く周縁に沿ってケース本体１０ａ側に突出するように形成され、上下方向に沿った周壁１０ｄの上端部が曲面状に形成されている。
【００７２】
これにより本実施形態では、図２１に示すように、外カバー１０ｂを閉めるとき、外カバー１０ｂの周壁１０ｂがプレート８０に引っ掛かって、外カバー１０ｂが閉じ難くなるのを実施形態７よりも防ぐことができ、外カバー１０ｂを容易に閉じることができるのである。
（実施形態９）
本実施形態における基本構成は実施形態８のテレビコンセントＡ２と共通するために共通する部分については同一の符号を付して説明を省略し、本実施形態の特徴となる部分についてのみ詳細に説明する。
【００７３】
本実施形態では、図２２及び図２３（ａ），（ｂ）に示すように、表示部５は、単方向を意味する「単」の文字が記載された表示部５ａと、双方向を意味する「双」の文字が記載された表示部５ｂとからなり、外カバー１０ｂには表示部５ａ，５ｂをそれぞれ各別に露出する２つの表示窓１９が形成されている。そして、本実施形態では、操作部２２の操作に応じて、伝送方向が単方向に切り換えられると表示部５ｂを覆い隠し、伝送方向が双方向に切り換えられると表示部５ａを覆い隠す隠し部材２を備えて、表示部５及び表示窓１９並びに隠し部材２から設定表示手段を構成している。
【００７４】
隠し部材２は、略コ字状の平板から成り、開口を下側に向けてケース本体１０ａの前面に沿って配設され、操作部２２の操作レバー２２ａを一方の向きに回動させたときには、前記一方の向きにスライドし、他方の向きに回動させたときには、前記他方の向きにスライドする。
【００７５】
このような本実施形態においても表示部５は、実施形態８と同様、伝送方向を単方向と双方向に切り換えるための操作レバー２２ａの操作位置を案内する。
【００７６】
例えば図２３（ａ）に示すように、外カバー１０ｂが開いて伝送方向が単方向に設定されているときには、隠し部材２の長手方向一端側が表示部５ｂつまり「双」の文字を覆い隠し、表示部５ａつまり「単」の文字が露出されている。このような状態から伝送方向を双方向に切り換えるときには、露出されている表示部５ａを見て、隠し部材２の前記一端と反対側の一端が表示部５ａを覆い隠す位置に移る方向に操作レバー２２ａを回動させれば、伝送方向が双方向に切り換えられる。つまり、表示部５は、表示部５ａが隠し部材２に覆い隠される操作レバー２２ａの操作位置を、双方向に切り換えるための操作位置として案内しているのである。このように双方向に切り換えるときには、隠し部材２は操作レバー２２ａの回動方向にスライドして、図２３（ｂ）に示すように、前記一端で表示部５ａを隠し、逆に表示部５ｂを露出させる。
【００７７】
また外カバー１０ｂには２つの表示窓１９が形成されていることによって、外カバー１０ｂが閉じた状態では、図２４に示すように、設定されている伝送方向に応じた表示部５ａ，５ｂが表示窓１９を介して外部に露出される。即ち、外カバー１０ｂ前面に切換設定されている伝送方向が表示されるのである。
【００７８】
このように本実施形態では、図２５に示すように壁面に配設された状態であってもプレート８０を取り外さずに、外カバー１０ｂを開けることなく設定表示手段つまり表示窓１９を介して露出される表示部５ａ，５ｂを見れば、本実施形態が伝送方向の切り換えが可能であって、単方向又は双方向のどちらに切換設定されているかを容易に確認することができる。
【００７９】
ところで本実施形態では、ロータリー式の切換スイッチ２０と、このスイッチに応じた操作部２２とを備えたが、図２６に示すように、スライド式の切換スイッチ２０と、このスイッチに応じた操作部２１とを備えても良い。
（実施形態１０）
本実施形態における基本構成は実施形態９のテレビコンセントＡ２と共通するために共通する部分については同一の符号を付して説明を省略し、本実施形態の特徴となる部分についてのみ詳細に説明する。
【００８０】
本実施形態では、図２７及び図２８（ａ），（ｂ）に示すように、実施形態９と同様の表示部５ａ，５ｂが共にケース本体１０ａ前面上部の一方の隅付近に設けられ、表示窓１９は表示部５ａ，５ｂの何れも露出するような大きさで外カバー１０ｂに１つだけ設けられている。そして本実施形態の隠し部材２は、略Ｌ字状の平板からなる。
【００８１】
このような本実施形態においても表示部５は、実施形態９と同様、伝送方向を単方向と双方向に切り換えるための操作部２２の操作位置を案内する。
【００８２】
例えば図２８（ａ）に示すように、外カバー１０ｂが開いて伝送方向が単方向に設定されているときには、隠し部材２の長手方向一端側が表示部５ｂつまり「双」の文字を覆い隠し、表示部５ａつまり「単」の文字が露出されている。このような状態から伝送方向を双方向に切り換えるときには、露出されている表示部５ａを見て、隠し部材２の前記一端が表示部５ａを覆い隠す位置に移る方向に操作レバー２２ａを回動させれば、伝送方向が双方向に切り換えられる。そしてこのとき、隠し部材２は操作レバー２２ａの回動方向にスライドして、図２８（ｂ）に示すように、前記一端で表示部５ａを隠し、逆に表示部５ｂを露出させる。
【００８３】
また外カバー１０ｂが閉じているときには、図２９に示すように、設定されている伝送方向に応じた表示部５ａ，５ｂが表示窓１９を介して外部に露出されるのである。
【００８４】
このように本実施形態では、実施形態９と同様、図３０に示すように、壁面に配設された状態であってもプレート８０を取り外さずに、外カバー１０ｂを開けることなく設定表示手段つまり表示窓１９を介して露出される表示部５ａ，５ｂを見れば、本実施形態が伝送方向の切り換えが可能であって、単方向又は双方向のどちらに切換設定されているかを容易に確認することができる。
【００８５】
ところで本実施形態では、ロータリー式の切換スイッチ２０と、このスイッチに応じた操作部２２とを備えたが、図３１に示すように、スライド式の切換スイッチ２０と、このスイッチに応じた操作部２１とを備えても良い。
【００９０】
【発明の効果】
請求項１の発明は、双方向ＣＡＴＶシステムの信号を伝送するとともに、所定帯域の周波数をカットするフィルタを用いることで、前記信号の伝送方向を単方向と双方向に切り換えるフィルタ付きテレビコンセントであって、ＣＡＴＶ局側のケーブルが接続されるＣＡＴＶ局側端子と、テレビ側のケーブルが接続されるテレビ側端子と、上記フィルタと、前記両端子間の電気的な接続で前記フィルタの介在の有無を切り換える切換スイッチと、前記切換スイッチを操作する操作部と、少なくとも前記フィルタ及び切換スイッチを収納するケースとを備え、伝送方向を切り換えるための操作部の操作位置を案内する表示部をケースの上面に設けたので、ケースの上面に表示部を設け、ケースを日本工業規格で規格化された大角形連用配線器具の１個モジュール寸法に形成するとともに、操作部を、ケースの上面と下面との一方に配設し、前方から見てケースから上下に突出しない寸法に形成したことによって、床面に近い壁面に配設された状態において、上方からでも表示部を容易に見ることができ、表示部が見え易くなった結果、操作部を間違いなく確実に操作して伝送方向を単方向と双方向とに切り換えることができるという効果がある。
【００９１】
請求項２の発明は、ケースの上面にケース内外を貫通する貫通孔を設け、操作部は、前記貫通孔を介してケース内部の切換スイッチを操作するように、ケース上面の前記貫通孔周辺に配設されたので、上方からでも操作部が容易に見えてその操作位置を確認することができ、伝送方向をさらに確実に切り換えることができるという効果がある。
【００９２】
請求項３の発明は、ケースの貫通孔周辺部を上方に突出させので、例えば周囲温度の変化による結露などでケースの上面に水滴が付いても、ケースの貫通孔周辺部を上方に突出させたことによって、水滴が前記貫通孔を介してケース内部に入るのを防ぐことができ、切換スイッチやフィルタを含むケース内部に配設された電子部品を前記水滴から保護することができるという効果がある。
【００９３】
請求項４の発明は、双方向ＣＡＴＶシステムの信号を伝送するとともに、所定帯域の周波数をカットするフィルタを用いることで、前記信号を単方向と双方向に切り換えるフィルタ付きテレビコンセントであって、ＣＡＴＶ局側のケーブルが接続されるＣＡＴＶ局側端子と、テレビ側のケーブルが接続される１乃至複数のテレビ側端子と、上記フィルタと、前記両端子間の電気的な接続で前記フィルタの介在の有無を切り換える切換スイッチと、前記切換スイッチを操作する操作部と、少なくとも前記フィルタ及び切換スイッチを収納するケースとを備え、ケースは、伝送方向を切り換えるための操作部の操作位置を案内する表示部が前面に設けられたケース本体と、前記ケース本体の下端側に開閉自在に枢支され、ケース本体の前面を覆う外カバーとからなり、ケースを日本工業規格で規格化された大角形連用配線器具の１個モジュール寸法に形成するとともに、操作部を、ケースの上面と下面との一方に配設し、前方から見てケースから上下に突出しない寸法に形成したので、外カバーをケース本体下端側に枢支させたことによって、外カバーを開いたときには上開きとなることで、床面に近い壁面に配設された状態において、上方からでも外カバーが邪魔になることなく表示部を容易に見ることができ、表示部が見え易くなった結果、操作部を間違いなく確実に操作して伝送方向を単方向と双方向とに切り換えることができるという効果がある。
【００９４】
請求項５の発明は、外カバーの前面上部に工具と前後方向に引掛係止する引掛部を設けるとともに、操作部は、外カバーが開いたときに前方側に露出されるような部位に配設されたので、例えば壁面に外カバー前面のみを露出させた状態で埋め込み配設されたときには、外カバーを掴み難いために外カバーを開くことが困難となるが、前記引掛部を設けたことによって、工具を引掛部に引掛けて引き出せば、容易に外カバーを開くことができ、且つ外カバーが開いたときには操作部が露出されることによって、前記埋め込み配設された状態から外カバーを開いて操作部を操作し、簡単に伝送方向の切り換えを行うことができるという効果がある。
【００９５】
請求項６の発明は、外カバーと係合して外カバーを閉じた状態に保持する係合突起をケース本体の前面に突設したので、例えば壁面に外カバー前面のみを露出させた状態で埋め込み配設された場合において、前記係合突起と係合する外カバーの被係合部を、外カバーを閉じるときに周辺の部材と引っ掛かり難いように形成することができ、その結果、外カバーを容易に閉じることができるという効果がある。
【００９６】
請求項７の発明は、外カバーは、ケース本体前面を覆う主部と、主部の両側部からケース本体側に突出する周壁とを備え、前記周壁の上端部を曲面状に形成したので、例えば施工面に外カバー前面のみを露出させた状態で埋め込み配設された場合に開いている外カバーを閉じるときには、前記周壁の上端部を曲面状に形成したことによって、前記上端部を角張った形状に形成したときと比べて、前記上端部が、周辺の部材に引っ掛かるのを防いで、外カバーを容易に閉じることができるという効果がある。
【００９７】
請求項８の発明は、切換設定されている伝送方向を外カバー前面に表示する設定表示手段を設けたので、外カバーが閉じていてもこれを開けることなく外カバー前面を見れば切換設定されている伝送方向を容易に確認することができるという効果がある。
【図面の簡単な説明】
【図１】  実施形態１を示す（ａ）は上面図、（ｂ）は正面図、（ｃ）は下面図、（ｄ）は側面図である。
【図２】  同上の説明用の壁面取付図である。
【図３】  実施形態２を示す（ａ）は上面図、（ｂ）は正面図、（ｃ）は下面図、（ｄ）は側面図である。
【図４】  実施形態３を示す（ａ）は側面図、（ｂ）は上面図、（ｃ）は分解斜視図である。
【図５】  同上の他の（ａ）は上面図、（ｂ）は分解斜視図である。
【図６】  実施形態４を示す（ａ）は側面図、（ｂ）は上面図、（ｃ）は分解斜視図である。
【図７】  同上の他の（ａ）は上面図、（ｂ）は分解斜視図である。
【図８】  実施形態５を示す（ａ）は正面図、（ｂ）は側面図、（ｃ）は下面図、（ｄ）は外カバーを開けた状態の正面図、（ｅ）は外カバーを開けた状態の側面図である。
【図９】  同上の他の（ａ）は上面図、（ｂ）は側面図、（ｃ）は正面図、（ｄ）は外カバーを開けた状態の正面図、（ｅ）は外カバーを開けた状態の側面図である。
【図１０】  同上の説明用の壁面取付図である。
【図１１】  実施形態６を示す（ａ）は正面図、（ｂ）は外カバーを開けた状態を示す正面図である。
【図１２】  同上の他の（ａ）は正面図、（ｂ）は外カバーを開けた状態を示す正面図である。
【図１３】  同上の壁面に配設した状態を示す正面図である。
【図１４】  同上の壁面に配設し外カバーを開けた状態を示す正面図である。
【図１５】  同上の他の壁面に配設し外カバーを開けた状態を示す正面図である。
【図１６】  実施形態７の比較説明用のフィルタ付きテレビコンセントの斜視図である。
【図１７】  同上の比較説明用のフィルタ付きテレビコンセントを壁面に配設し、外カバーを閉める状態を示す斜視図である。
【図１８】  実施形態７を示す斜視図である。
【図１９】  同上の壁面に配設して外カバーを閉める状態を示す斜視図である。
【図２０】  実施形態８を示す斜視図である。
【図２１】  同上の壁面に配設して外カバーを閉める状態を示す斜視図である。
【図２２】  実施形態９を示す斜視図である。
【図２３】  同上の外カバーを開けた状態であって（ａ）は伝送方向を単方向に切り換えた状態を示す正面図、（ｂ）は伝送方向を双方向に切り換えた状態を示す正面図である。
【図２４】  同上の正面図である。
【図２５】  同上の壁面に配設した状態を示す正面図である。
【図２６】  同上の他の斜視図である。
【図２７】  実施形態１０を示す斜視図である。
【図２８】  同上の外カバーを開けた状態であって（ａ）は伝送方向を単方向に切り換えた状態を示す正面図、（ｂ）は伝送方向を双方向に切り換えた状態を示す正面図である。
【図２９】  同上の正面図である。
【図３０】  同上の壁面に配設した状態を示す正面図である。
【図３１】  同上の他の斜視図である。
【図３２】  第一の従来例を示す（ａ）は正面図、（ｂ）は側面図、（ｃ）は下面図である。
【図３３】  同上の概略回路図である。
【図３４】  同上の他の（ａ）は正面図、（ｂ）は側面図、（ｃ）は下面図である。
【図３５】  第二の従来例を示す（ａ）は正面図、（ｂ）は側面図、（ｃ）は下面図である。
【図３６】  同上の外カバーを開けた状態を示す（ａ）は正面図、（ｂ）は側面図である。
【図３７】  同上の他の（ａ）は正面図、（ｂ）は側面図、（ｃ）は下面図である。
【図３８】  同上の他の外カバーを開けた状態を示す（ａ）は正面図、（ｂ）は側面図である。
【図３９】  第一及び第二の従来例の壁面に配設した状態を示す側面図である。
【図４０】  同上の壁面に配設した状態を示す正面図である。
【図４１】  第一の従来例の壁面に配設した状態を示す説明用の側面図である。
【図４２】  第二の従来例の壁面に配設した状態を示す説明用の側面図である。
【符号の説明】
６  表示部
１０  ケース
１１ａ  テレビ側端子
１１ｂ  ＣＡＴＶ局側端子
２１  操作部
【図１】
0003770130.tif 000002
【図２】
0003770130.tif 000003
【図３】
0003770130.tif 000004
【図４】
0003770130.tif 000005
【図５】
0003770130.tif 000006
【図６】
0003770130.tif 000007
【図７】
0003770130.tif 000008
【図８】
0003770130.tif 000009
【図９】
0003770130.tif 000010
【図１０】
0003770130.tif 000011
【図１１】
0003770130.tif 000012
【図１２】
0003770130.tif 000013
【図１３】
0003770130.tif 000014
【図１４】
0003770130.tif 000015
【図１５】
0003770130.tif 000016
【図１６】
0003770130.tif 000017
【図１７】
0003770130.tif 000018
【図１８】
0003770130.tif 000019
【図１９】
0003770130.tif 000020
【図２０】
0003770130.tif 000021
【図２１】
0003770130.tif 000022
【図２２】
0003770130.tif 000023
【図２３】
0003770130.tif 000024
【図２４】
0003770130.tif 000025
【図２５】
0003770130.tif 000026
【図２６】
0003770130.tif 000027
【図２７】
0003770130.tif 000028
【図２８】
0003770130.tif 000029
【図２９】
0003770130.tif 000030
【図３０】
0003770130.tif 000031
【図３１】
0003770130.tif 000032
【図３２】
0003770130.tif 000033
【図３３】
0003770130.tif 000034
【図３４】
0003770130.tif 000035
【図３５】
0003770130.tif 000036
【図３６】
0003770130.tif 000037
【図３７】
0003770130.tif 000038
【図３８】
0003770130.tif 000039
【図３９】
0003770130.tif 000040
【図４０】
0003770130.tif 000041
【図４１】
0003770130.tif 000042
【図４２】
0003770130.tif 000043